(57)【特許請求の範囲】
【請求項１】
インクジェットプリンタにおけるインクジェットヘッドのノズルが不良ノズルであるか否かを検出する第１ノズルチェック工程と、
前記インクジェットプリンタが、予め設定した不良ノズル発生条件に該当する状態であるか否かの検出または判定をし、その結果に基づき、前記不良ノズルに対する第１クリーニング処理の内容を決定する第１クリーニング処理内容決定工程と、
前記第１ノズルチェック工程で前記不良ノズルが検出された場合に、決定した内容の前記第１クリーニング処理を行う第１クリーニング工程と、
前記第１クリーニング工程後のノズルが前記不良ノズルであるか否かを検出する第２ノズルチェック工程と、
前記不良ノズルを回復するための第２クリーニング処理の内容を、前記不良ノズル発生条件とは無関係に決定する第２クリーニング処理内容決定工程と、
前記第２ノズルチェック工程で前記不良ノズルが検出された場合に、前記第２クリーニング処理を行う第２クリーニング工程、および、前記第２クリーニング工程後のノズルが前記不良ノズルであるか否かを検出する第３ノズルチェック工程、の２工程を１回または複数回繰り返す繰り返し工程と、
を含むことを特徴とするインクジェットプリンタのヘッドクリーニング方法。
【請求項２】
インクジェットプリンタにおけるインクジェットヘッドのノズルが不良ノズルであるか否かを検出する第１ノズルチェック工程と、
前記インクジェットプリンタが、予め設定した不良ノズル発生条件に該当する状態であるか否かの検出または判定をし、その結果に基づき、前記不良ノズルに対する第１クリーニング処理の内容を決定する第１クリーニング処理内容決定工程と、
前記第１ノズルチェック工程で前記不良ノズルが検出された場合に、決定した内容の前記第１クリーニング処理を行う第１クリーニング工程と、を含み、
前記第１クリーニング処理内容決定工程では、前記インクジェットプリンタが、
前記インクジェットプリンタに衝撃が加えられたこと、
前記インクジェットプリンタの開閉部材が閉じたこと、
前記インクジェットプリンタが起動したこと、
直近に行われたクリーニング処理または印刷処理から所定時間以上経過したこと、
前記クリーニング処理の実行が保留されたこと、を含む複数の不良ノズル発生条件の少なくともいずれかに該当する状態であるか否かの検出または判定結果に基づき、前記第１クリーニング処理の内容を決定することを特徴とするインクジェットプリンタのヘッドクリーニング方法。
【請求項３】
請求項２に記載のインクジェットプリンタのヘッドクリーニング方法であって、
前記第１クリーニング処理は、前記インクジェットプリンタが、前記複数の不良ノズル発生条件の少なくともいずれかに該当する状態にあると検出または判定された場合には、前記複数の不良ノズル発生条件のいずれにも該当しない状態であると検出または判定された場合よりも、前記各ノズルからのインクの吐出量あるいは吸引量が多いことを特徴とするインクジェットプリンタのヘッドクリーニング方法。
【請求項４】
請求項１に記載のインクジェットプリンタのヘッドクリーニング方法であって、
前記第２クリーニング処理内容決定工程では、前記第２クリーニング工程の実行回数に応じて、前記第２クリーニング処理の内容を決定することを特徴とするインクジェットプリンタのヘッドクリーニング方法。
【請求項５】
請求項１ないし４のいずれか１項に記載のインクジェットプリンタのヘッドクリーニング方法であって、
前記第１クリーニング処理内容決定工程では、前記不良ノズル発生条件の検出または判定の結果、および、前記第１ノズルチェック工程における前記不良ノズルの検出結果に基づき、前記第１クリーニング処理の内容を決定することを特徴とするインクジェットプリンタのヘッドクリーニング方法。
【請求項６】
ノズルチェック機構と、
インクジェットヘッドのクリーニング機構と、
前記ノズルチェック機構および前記クリーニング機構を制御する制御部と、を有し、
前記制御部は、請求項１ないし５のいずれか１項に記載のヘッドクリーニング方法を行うことを特徴とするインクジェットプリンタ。
【発明の詳細な説明】
【技術分野】
【０００１】
本発明は、インクジェットヘッドのノズルにおけるインク液滴の吐出不良を回復するためのインクジェットプリンタのヘッドクリーニング方法に関する。
【背景技術】
【０００２】
インクジェットプリンタでは、インクジェットヘッドの各ノズルが、ノズル内に残っているインクの増粘や気泡の混入、あるいはごみなどの異物の付着などによって目詰まりすることや、完全に目詰まりしなくても印刷対象の印刷用紙の所定位置に所定量のインクが吐出しないなどの吐出不良が起きることがあった。このような状態のノズルを不良ノズルという。不良ノズルのあるインクジェットヘッドで印刷を行うと印刷品位が低下するため、定期的にあるいは所定のタイミングでインクジェットヘッドを印刷領域外へ移動させてヘッドクリーニング処理などを行っている。特許文献１のインクジェットプリンタは、ノズル面に付着したインクをワイパなどで除去するワイパクリーニング処理と、ノズル内のインクを吸引して目詰まり等を予防あるいは回復するノズル吸引処理の２種類のヘッドクリーニングを行っている。
【０００３】
特許文献２のプリンタは、プリンタの電源投入時に、起動処理の一部としてノズルチェックおよびヘッドクリーニングを行う。このプリンタでは、電源投入前にはノズルからインクが吐出されていない状態が長時間続いていた可能性が高いことにより、ノズルの目詰まり等が発生している可能性が高いとして、電源投入時に自動的にノズルチェック処理を行うようにしている。また、このプリンタでは、ノズルチェックを行って不良ノズルの個数をチェックし、不良ノズル数がユーザが設定した閾値以上ならば不良ノズル数に対応する内容のヘッドクリーニングを行い、不良ノズル数が閾値未満ならばヘッドクリーニングを行わないようにしている。
【特許文献１】特開２００３−１８３５号公報
【特許文献２】特開２００７−７９６０号公報
【発明の開示】
【発明が解決しようとする課題】
【０００４】
特許文献１では、ノズルチェックなどを行ってノズルの状態に応じた内容のヘッドクリーニングを行うことや、ヘッドクリーニング実行時のプリンタの状態に応じた内容のヘッドクリーニングを行うことは提案されていなかった。また、特許文献２では、ノズルの目詰まり等が発生している可能性が高いタイミングでヘッドクリーニングを実行することは記載されているものの、ノズルの目詰まり等が通常よりも多数発生している可能性が高い状態とそうでない状態、例えば、電源投入直後とそうでない時、あるいは、プリンタに衝撃を加えた直後とそうでない時、などの条件の違いによってクリーニング処理の内容を変えることは提案されていなかった。従って、多数の不良ノズルが発生している可能性が高い状態において弱すぎるクリーニングが行われる可能性があり、クリーニングが完了するまでに時間がかかってしまったり、無駄にインクを消費してしまうという問題点があった。
【０００５】
本発明の課題は、このような点に鑑みて、多数の不良ノズルが発生している可能性が高いか否かの判定結果に基づいてクリーニングの強さを決めることができ、ヘッドクリーニングに要する時間や無駄なインク消費を低減できるインクジェットプリンタのヘッドクリーニング方法を提案することにある。
【課題を解決するための手段】
【０００６】
上記の課題を解決するため、本発明は、インクジェットプリンタにおけるインクジェットヘッドのノズルが不良ノズルであるか否かを検出する第１ノズルチェック工程と、
前記インクジェットプリンタが予め設定した不良ノズル発生条件に該当する状態であるか否かの検出または判定をし、その結果に基づき、前記不良ノズルに対する第１クリーニング処理の内容を決定する第１クリーニング処理内容決定工程と、
前記第１ノズルチェック工程で前記不良ノズルが検出された場合に、決定した内容の前記第１クリーニング処理を行う第１クリーニング工程と、
前記第１クリーニング工程後のノズルが前記不良ノズルであるか否かを検出する第２ノズルチェック工程と、
前記不良ノズルを回復するための第２クリーニング処理の内容を、前記不良ノズル発生条件とは無関係に決定する第２クリーニング処理内容決定工程と、
前記第２ノズルチェック工程で前記不良ノズルが検出された場合に、前記第２クリーニング処理を行う第２クリーニング工程、および、前記第２クリーニング工程後のノズルが前記不良ノズルであるか否かを検出する第３ノズルチェック工程、の２工程を１回または複数回繰り返す繰り返し工程と、
を含むことを特徴とする。
【０００７】
本発明では、このように、ノズルチェックによって不良ノズルを検出した場合にクリーニング処理を行うので、不要なクリーニング処理を行ってしまうことがなく、無駄なインク消費を抑制できる。また、プリンタが予め設定した不良ノズル発生条件に該当する状態であるか否かを判定することにより、多数のノズルが目詰まり等している可能性が高い状態か、そうでない状態かを判別することができるので、その判定結果に基づき、ノズルの状態に応じた内容のクリーニング処理を行うことができる。よって、多数の不良ノズルが発生していても短時間で吐出不良を回復できる。また、無駄に強いクリーニングを行わないようにすることができるので、インクの消費量を削減できる。
【０００８】
本発明において、前記第１クリーニング工程後のノズルが前記不良ノズルであるか否かを検出する第２ノズルチェック工程と、前記不良ノズルを回復するための第２クリーニング処理の内容を、前記不良ノズル発生条件とは無関係に決定する第２クリーニング処理内容決定工程と、前記第２ノズルチェック工程で前記不良ノズルが検出された場合に、前記第２クリーニング処理を行う第２クリーニング工程、および、前記第２クリーニング工程後のノズルが前記不良ノズルであるか否かを検出する第３ノズルチェック工程、の２工程を１回または複数回繰り返す繰り返し工程と、を含むとよい。このように、１回目のクリーニング処理だけを予め設定した不良ノズル発生条件に該当するか否かの検出または判定結果に基づいて決定し、２回目以降のクリーニング処理は当該判定結果とは無関係に行うようにすれば、無駄に強いクリーニングを続けないようにすることができる。よって、インクの消費量を削減できる。
【０００９】
本発明において、前記第１クリーニング処理内容決定工程では、前記インクジェットプリンタが、前記インクジェットプリンタに衝撃が加えられたこと、前記インクジェットプリンタの開閉部材が閉じたこと、前記インクジェットプリンタが起動したこと、直近に行われたクリーニング処理または印刷処理から所定時間以上経過したこと、前記クリーニング処理の実行が保留されたこと、を含む複数の不良ノズル発生条件の少なくともいずれかに該当する状態であるか否かの検出または判定結果に基づき、前記第１クリーニング処理の内容を決定するとよい。より具体的には、前記第１クリーニング処理は、前記インクジェットプリンタが、前記複数の不良ノズル発生条件の少なくともいずれかに該当する状態にあると判定された場合には、前記複数の不良ノズル発生条件のいずれにも該当しない状態であると判定された場合よりも、前記各ノズルからのインクの吐出量あるいは吸引量が多いとよい。このように、多数のノズルが目詰まり等している可能性が高い状態か否かを複数の不良ノズル発生条件に基づいて判定することができるので、不良ノズル発生条件に該当する場合にのみインクの吐出量あるいは吸引量が多いクリーニング処理を行えば、少ない回数、且つ、少ないインク消費量でヘッドクリーニングを完了させることができる。
【００１０】
本発明において、前記第２クリーニング処理内容決定工程では、前記第２クリーニング工程の実行回数に応じて、前記第２クリーニング処理の内容を決定するとよい。このようにすると、不良ノズルが回復せずクリーニング処理を繰り返す場合に順次クリーニング処理の内容を変えることができ、目詰まり等がひどい状態であるのに弱いクリーニングを繰り返し行ってしまうことがない。よって、不良ノズルを短時間で回復できる。
【００１１】
本発明において、前記第１クリーニング処理内容決定工程では、前記不良ノズル発生条件の検出または判定結果、および、前記第１ノズルチェック工程における前記不良ノズルの検出結果に基づき、前記第１クリーニング処理の内容を決定するとよい。このようにすると、１回目のクリーニング工程では、その直前に行ったノズルチェックの結果を加味してクリーニング処理の内容を決定できるので、よりノズルの状態に適したクリーニング処理を行うことができる。よって、吐出不良の回復までにかかる時間を短縮できる。
【００１２】
また、本発明のインクジェットプリンタは、ノズルチェック機構と、インクジェットヘッドのクリーニング機構と、前記ノズルチェック機構および前記クリーニング機構を制御する制御部を有し、前記制御部は、上述のヘッドクリーニング方法を行うことを特徴とする。
【発明の効果】
【００１３】
本発明によれば、プリンタが予め設定した不良ノズル発生条件に該当する状態であるか否かを判定することにより、多数のノズルが目詰まり等している可能性が高い状態がそうでない状態かを判別することができるので、その判定結果に基づき、ノズルの状態に応じた内容のクリーニング処理を行うことができる。よって、多数の不良ノズルが発生していても短時間で回復できる。また、無駄に強いクリーニングを行わないようにすることができるので、インクの消費量を削減できる。
【発明を実施するための最良の形態】
【００１４】
以下に、図面を参照して、本発明の実施の形態を説明する。
【００１５】
（インクジェットプリンタの全体構成）
図１はインクジェットプリンタの斜視図、図２は外装ケースから取り出したインクジェットプリンタ内部の機構を示す斜視図である。インクジェットプリンタ１（以下、プリンタ１という）は、箱型の外装ケース２の内部に印刷用紙であるロール紙３を転動可能に保持している。プリンタ１は、ロール紙３から引き出された連続紙にインク滴を吐出して印刷を行うための印刷機構１０と、印刷機構１０におけるインク滴の吐出不良状態あるいは吐出不能状態を回復するためのヘッドクリーニング機構２０と、ホスト装置などからの印刷データやコマンドを受信して印刷機構１０およびヘッドクリーニング機構２０を制御する制御部３０を有している。また、プリンタ１は、ロール紙３から連続紙を引き出して搬送するための紙送り機構、外装ケース２に形成された排紙口の内側で連続紙を切断する切断機構、などの各種機構を有している。
【００１６】
外装ケース２の前面には、ロール紙カバー２ａおよびインクカートリッジカバー２ｂ（開閉部材）が左右に並んでおり、これらは手前側に開閉可能に取り付けられている。ロール紙カバー２ａを開くと外装ケース２内のロール紙収容部４が開放状態になるので、ロール紙３の補充や交換を行うことができる。また、インクカートリッジカバー２ｂを開くと、インク液を封入したインクカートリッジ５を装着するためのカートリッジ装着部６が開放状態になるので、インクカートリッジ５の装着や取り外しが可能になる。
【００１７】
外装ケース２の前面部分には、ロール紙収容部４あるいはカートリッジ装着部６に連通する開口の縁部に、ロール紙カバー２ａが閉じたことを検出するための開閉センサ２ｃ、および、インクカートリッジカバー２ｂが閉じたことを検出するための開閉センサ２ｄが取り付けられている。開閉センサ２ｃ，２ｄには、例えば、ホールセンサやリードスイッチなどが用いられる。なお、ロール紙カバー２ａやインクカートリッジカバー２ｂの下端に設けられたヒンジ部に開閉センサを取り付けてもよい。また、外装ケース２の内側の所定位置には、プリンタ１に外部から加えられた衝撃を検出するための衝撃センサ２ｅが取り付けられている。衝撃センサ２ｅは、例えば、衝撃時の加速度による錘の動きを圧電材料や位置センサなどにより検出するものが用いられる。開閉センサ２ｃ，２ｄや衝撃センサ２ｅの検出信号は、制御部３０に入力される。また、制御部３０は、後述する積算カウンタＡＣＬやタイマなどを内蔵している。
【００１８】
インクカートリッジ５は、カートリッジケース内に所定個数のインクパックを収容したものである。カラー印刷が可能なプリンタの場合には、異なる色のインクを封入した複数個のカラーインクパックがインクカートリッジ５内に収容されている。インクカートリッジ５は、インクカートリッジカバー２ｂを開く動作に連動して手前側に引き出される。インクカートリッジ５をカートリッジ装着部６に装着すると、カートリッジ装着部６側に設けられたインク供給針がインクカートリッジ５内のインクパックのインク供給口に差込接続される。インク供給針は、カートリッジ装着部６の奥側を通って上向きに延びるインク流路７に接続されている。インク流路７の上端には可撓性のインク供給チューブ８が接続されている。
【００１９】
プリンタ１の内部には、ロール紙収容部４およびカートリッジ装着部６が左右に並んで設けられており、ここに装着されたロール紙３およびインクカートリッジ５の上部に印刷機構１０が配置されている。印刷機構１０は、インクジェットヘッド１１（以下、ヘッド１１という）を搭載したキャリッジ１２を、ロール紙３の紙幅方向に延びる水平なキャリッジ軸１３にスライド可能に取り付けた構成である。キャリッジ１２は無端ベルト１４によりキャリッジモータ１５の出力軸に連結されており、キャリッジモータ１５の回転に基づいてヘッド１１がプリンタ幅方向すなわちロール紙の紙幅方向に往復移動する。
【００２０】
ヘッド１１は、インクを吐出するための複数のノズルが形成されたノズル面１１ａを備えており、ノズル面１１ａがキャリッジ１２の下側において下向きになって露出している。キャリッジ１２の上面にはヘッド１１に接続された背圧調整ユニット１６が搭載されており、背圧調整ユニット１６は、その背面側に接続されたダンパユニット１７を介してインク供給チューブ８の先端に接続されている。ヘッド１１は、ロール紙３の上側に配置されたプラテン１８の上の印刷位置を通って往復移動するときに、プラテン１８の上に送り出された印刷用紙にノズル面１１ａ上の各ノズルからインク滴を吐出し、印刷を行う。印刷を行わないときには、ヘッド１１は、キャリッジ軸１３の右端まで移動してインクカートリッジ５の上方の待機位置で止まる。
【００２１】
（ヘッドクリーニング機構の構成）
図３はヘッドクリーニング機構の斜視図である。ヘッドクリーニング機構２０は、カートリッジ装着部６に装着されたインクカートリッジ５の直上に配置されており、ヘッド１１が待機位置に移動したときにはその下方に位置する。ヘッドクリーニング機構２０は、ヘッド１１のノズル面１１ａを封止するためのヘッドキャップ２１と、ノズル面１１ａに付着しているインクや異物などを払拭するためのワイパ２２と、ヘッド１１のノズル内に残留あるいは目詰まり等しているインクを吸引するためのインク吸引部２３を備えている。ヘッドキャップ２１、ワイパ２２、およびインク吸引部２３はヘッドクリーニング機構２０のフレーム２４に取り付けられている。フレーム２４は、キャリッジ軸１３やプラテン１８などを支持するプリンタ１の本体フレームに固定されている。
【００２２】
ヘッドキャップ２１は、待機位置におけるノズル面１１ａの真下に配置されており、ノズル面１１ａに正対する上向きの封止面２１ａを有している。ヘッドキャップ２１は、図示しない駆動機構を作動させることにより、ノズル面１１ａに対して垂直な方向、すなわち、キャリッジ軸１３と直交する方向に上下にスライド可能に構成されている。これにより、封止面２１ａがノズル面１１ａに対して近づく方向または遠ざかる方向にヘッドキャップ２１が移動する。ヘッドキャップ２１の駆動源である駆動機構は、制御部３０からの制御信号に基づいて作動し、ヘッドキャップ２１を上昇または下降させる。
【００２３】
図４はヘッド１１およびヘッドキャップ２１が正対している状態を示す部分断面図である。この図に示すように、ヘッドキャップ２１は、封止面２１ａの縁部２１ｂが垂直に立ち上がっている箱型状であり、ゴムなどの弾力性のある素材で形成されている。ヘッドキャップ２１は、ノズル面１１ａのノズル形成部分を覆って縁部２１ｂをノズル面１１ａに密着させることが可能な大きさおよび形状である。封止面２１ａおよび縁部２１ｂで囲まれる凹部２１ｃ内には、インク吸引部２３が備える図示しないポンプモータから延びる吸引用チューブが接続されている。縁部２１ｂをノズル面１１ａに密着させた状態でポンプモータが作動すると、ポンプモータの吸引力により凹部２１ｃとノズル面１１ａで囲まれた密閉空間が減圧され、ヘッド１１の各ノズルに残留しているインクが吸引されて凹部２１ｃ内に吐出される。
【００２４】
凹部２１ｃ内には、吸引された廃インクを吸収するための吸収材２１ｄが保持されており、吸収材２１ｄと電気的に導通するように導電材２１ｅが取り付けられている。導電材２１ｅを流れた電気信号は配線などによって取り出され、制御部３０に入力される。本実施形態では、ヘッド１１のノズルから帯電したインクを吐出して、帯電したインクが吸収材２１ｄに着弾する際に生じる電流変化の信号を取り出すことができる。インクを吐出したにも関わらず、この信号が所定の閾値以下の場合、ノズルの吐出不良と判断することができる。この他に、不良ノズルの検出方法として、吐出したインク滴をレーザーなど光学的な手段で検出する方法がある。
【００２５】
ワイパ２２はゴムなどの弾性材からなる板状の部材であり、ヘッドクリーニング機構２０のフレーム２４に固定された図示しないガイド部材によって上下にスライド可能に保持されている。ワイパ２２は、図示しない駆動機構を作動させることにより、ヘッドキャップ２１と同様に、ノズル面１１ａに対して垂直な方向に移動可能に構成されている。ワイパ２２でノズル面１１ａを払拭する際には、ノズル面１１ａをワイパ２２の真上からどけた状態でワイパ２２を上昇させ、ワイパ２２の先端をノズル面１１ａの高さよりもわずかに上に突出させ、この状態でヘッド１１をキャリッジ軸１３に沿って移動させ、ワイパ２２の先端をノズル面１１ａに摺接させる。これにより、ノズル面１１ａに付着した異物やインクがワイパ２２の先端によって掻きとられる。
【００２６】
（ヘッドクリーニング機構の制御）
印刷ジョブが終了してヘッド１１を待機位置で待機させる場合には、制御部３０は、縁部２１ｂがノズル面１１ａの周囲に密着する位置までヘッドキャップ２１を移動させてノズルを封鎖する。これにより、待機時におけるノズル内のインクを増粘しにくくして目詰まり等を発生しにくくすることができる。また、制御部３０は、ヘッド１１を待機位置側あるいは印刷位置側に移動させるタイミングに同期させて上記ワイパ２２を上昇させることにより、ワイパ２２でノズル面１１ａを払拭するワイピング処理を行うことができる。
【００２７】
ノズルの目詰まり等によりヘッドクリーニングが必要になった場合には、制御部３０は、ノズルを封鎖する位置にヘッドキャップ２１を移動させた状態でポンプモータを作動させて凹部２１ｃとノズル面１１ａで囲まれた密閉空間内を吸引し、各ノズルからインクを吐出させるインク吸引処理を実行することができる。
【００２８】
また、制御部３０は、ノズル内のインク滴の状態を適切に保つために、ヘッド１１をヘッドキャップ２１と対向させた状態で、ヘッド１１の全ノズルから、印刷動作とは関係なく、所定量のインクをヘッドキャップ２１の凹部２１ｃ内に吐出させるフラッシング処理を定期的に行う。また、定期的なフラッシング処理で吐出するインク滴よりも多量のインク滴をまとめて吐出させるフラッシング処理を所望のタイミングで実行し、これによりヘッドクリーニングを行ってノズルの目詰まり等を回復することもできる。
【００２９】
制御部３０は、クリーニング処理として、上記ワイピング処理、インク吸引処理、フラッシング処理のどれか、あるいは、これらの処理を適宜組み合わせて行うことができるが、これらの処理を実際に行う前に、ノズルからのインクの吐出状態を検査するノズルチェック処理を行う。また、クリーニング処理の後にノズルチェック処理を行うことにより、クリーニング処理によって吐出不良が回復されたかどうかを確認し、さらにクリーニング処理を続ける必要があるかどうかを判定することができる。
【００３０】
ノズルチェック処理は、具体的には、ヘッド１１のノズルから帯電したインクを吐出し、このインクが凹部２１ｃ内の吸収材２１ｄに着弾する際の電流変化の信号に基づき、ノズルからのインク吐出状態を検査する。ノズルチェック処理の際には、ノズル面１１ａとヘッドキャップ２１における縁部２１ｂの上端との隙間Ｌ１、および、ノズル面１１ａと吸収材２１ｄの表面との隙間Ｌ２が所定寸法になるようにヘッドキャップ２１を位置決めし、この状態で、ヘッド１１とヘッドキャップ２１が所定のしきい値以上の電位差になるように電圧を印加した状態で行う。このようにすると、インク滴の吐出状態を精度良く検査することができる。
【００３１】
（ヘッドクリーニング実行時の制御）
次に、上記構成のプリンタ１において、不良ノズルが多数発生する可能性がある所定の状態（不良ノズル多発条件に該当する状態）でヘッドクリーニングを行った場合には、最初に行う１回目のクリーニング処理を通常よりも強めにすることにより、できるだけ少ない回数および少ないインク消費量でヘッドクリーニングを完了させる方法について説明する。
【００３２】
本実施形態では、インク吸引処理、フラッシング処理、ワイピング処理やこれらを組み合わせた様々なクリーニング処理のうち、一例として、インクの吸引量が異なる４種類のインク吸引処理のいずれかを、不良ノズル多発条件やその他の実施条件により適宜選択して行う場合について説明する。図５は本実施形態のヘッドクリーニング処理のフローチャートである。制御部３０は、ヘッドクリーニング処理の開始前には、以下の（１）〜（５）に示すように、プリンタ１が不良ノズル多発条件に該当する状態になったことを検出し、そのことを示す所定のフラグをセットする。
【００３３】
（１）タイマＡＩＤフラグ
本実施形態のプリンタ１は、定期的にあるいは所定のタイミングで、ヘッドクリーニング処理を行う。そのため、制御部３０は、直近の印刷処理あるいはヘッドクリーニング処理から所定時間経過したことを内蔵するタイマにより検出した場合に、タイマＡＩＤフラグをセットする。なお、印刷処理およびヘッドクリーニング処理以外の所定の処理から所定時間経過した場合にタイマＡＩＤフラグをセットするようにしてもよい。
【００３４】
（２）衝撃検出フラグ
制御部３０は、プリンタ１に所定の衝撃が発生したことを衝撃センサ２ｅで検出した場合には、衝撃検出フラグをセットする。なお、すでに衝撃検出フラグがセットされている状態で更にプリンタ１の衝撃を検出した場合には、引き続き衝撃検出フラグをセットしたままにする。
【００３５】
（３）起動処理フラグ
制御部３０は、プリンタ１の電源スイッチがオン状態になった場合や、ホスト装置などから入力された起動信号あるいはリセット信号や、プリンタ１の内部からのリセット信号を検出した場合には、起動処理あるいは再起動処理を行うと共に、起動処理フラグをセットする。
【００３６】
（４）ヘッドクリーニング実行保留フラグ（ＡＩＤ保留フラグ）
制御部３０は、定期的あるいは所定のタイミングで行われるヘッドクリーニングが、その実行開始タイミングにおいてプリンタ１が丁度印刷処理を実行中だったなどの何らかの理由によって実行できなかった場合に、その回のヘッドクリーニングの実行を保留すると共に、ヘッドクリーニング実行保留フラグ（以下、ＡＩＤ保留フラグという）をセットする。
【００３７】
（５）カバークローズフラグ
制御部３０は、プリンタ１のロール紙カバー２ａ（開閉部材）が閉じたことを開閉センサ２ｃで検出した場合と、プリンタ１のインクカートリッジカバー２ｂ（開閉部材）が閉じたことを開閉センサ２ｄで検出した場合の、２つの場合には、カバークローズフラグをセットする。なお、すでにカバークローズフラグがセットされている状態で更にロール紙カバー２ａあるいはインクカートリッジカバー２ｂの開閉を検出した場合には、引き続きカバークローズフラグをセットしたままにする。
【００３８】
制御部３０は、上記タイマＡＩＤフラグがセットされているか否かを定期的にチェックし、タイマＡＩＤフラグがセットされていることを検出した場合に、ヘッドクリーニング処理を開始する。また、制御部３０は、プリンタ１の操作部で所定のヘッドクリーニング開始操作が行われた場合、あるいはホスト装置からヘッドクリーニング実行指令が入力された場合、あるいはプリンタ１の内部からのヘッドクリーニング実行指令を検出した場合に、当該開始操作あるいはヘッドクリーニング実行指令に基づき、タイマＡＩＤフラグの有無とは無関係にヘッドクリーニング処理を開始する。
【００３９】
制御部３０は、ヘッドクリーニング処理を開始すると、まず最初に、１回目のノズルチェック処理を行う（Ｓ１ａ：第１ノズルチェック工程）。そして、このノズルチェック処理における不良ノズルの検出結果に基づき、クリーニングの要否判定を行う（Ｓ２）。要否判定では、不良ノズルが１箇所でも検出された場合にはクリーニング処理が必要と判定し、全く検出されなかった場合には不要と判定する。なお、ヘッドクリーニング処理を開始する際にヘッド１１が待機位置にいなかった場合には、第１ノズルチェック工程（Ｓ１ａ）を行う前に、まず、ヘッド１１を待機位置に戻す処理を行う。また、クリーニング要否判定（Ｓ２）における閾値は任意に設定することができる。例えば、不良ノズルがｎ箇所以上（ｎ：２以上）検出された場合にクリーニング処理が必要と判定してもよい。
【００４０】
制御部３０は、クリーニング要否判定（Ｓ２）においてクリーニング処理が必要であると判定した場合には（Ｓ２：Ｙｅｓ）、積算カウンタＡＣＬのカウント値が４未満かそうでないかの判定を行う（Ｓ３）。ここで、積算カウンタＡＣＬは制御部３０などに内蔵されるカウンタであり、制御部３０は、クリーニング処理を実行した場合には、その都度、積算カウンタＡＣＬに必ず１を加算している。従って、積算カウンタＡＣＬのカウント値は、今回のヘッドクリーニング処理において現在までに行ったクリーニング処理の実行回数を示す。なお、積算カウンタＡＣＬは、後述するように、ヘッドクリーニングの終了ごとにリセットされるので、ヘッドクリーニングの開始時には、必ずＡＣＬ＝０の状態になっている。
【００４１】
制御部３０は、Ｓ３工程で積算カウンタＡＣＬのカウント値が４未満であった場合には、積算カウンタＡＣＬのカウント値が０であるか否かの判定（Ｓ４）を行う。積算カウンタＡＣＬのカウント値が０であった場合（Ｓ４：Ｙｅｓ）、すなわち、まだ１度もクリーニング処理を行っていない場合には、制御部３０は、Ｓ５〜Ｓ６工程により、１回目に行うクリーニング処理の内容を決定する（第１クリーニング処理内容決定工程）。まず、制御部３０は、（１）〜（５）で説明したタイマＡＩＤフラグ、衝撃検出フラグ、起動処理フラグ、ＡＩＤ保留フラグ、カバークローズフラグの各フラグがセットされているか否かを判定し（Ｓ５）、どのフラグもセットされていないと判定した場合には（Ｓ５：Ｎｏ）、クリーニング処理として、最もインク吸引量が少ないインク吸引処理（ＣＬ０）を選択し、実行する（Ｓ８ａ）。すなわち、この場合には、制御部３０は、（１）〜（５）のどのフラグもセットされていないことにより、プリンタ１が不良ノズル多発条件に該当しない状態であると判定する。そして、この判定結果に基づき、最も弱いクリーニング処理であるＣＬ０を行う。
【００４２】
一方、制御部３０は、タイマＡＩＤフラグ、衝撃検出フラグ、起動処理フラグ、ＡＩＤ保留フラグ、カバークローズフラグの各フラグのうち１つあるいはそれ以上がセットされていると判定した場合には（Ｓ５：Ｙｅｓ）、プリンタ１が、予め設定した不良ノズル多発条件のうち、少なくとも１つに該当する状態であると判定する。そして、この場合には、次に、１回目のノズルチェック工程（Ｓ１）における不良ノズルの検出数が３未満であるか否かを判定する（Ｓ６）。すなわち、Ｓ６工程では、不良ノズルの検出数に基づき、ノズルの目詰まり等の程度を判定する。そして、不良ノズルの検出数が３未満であった場合には（Ｓ６：Ｙｅｓ）、それほど目詰まり等がひどくないと判定して、２番目にインクの吸引量が少ないインク吸引処理（ＣＬ１：２番目に弱いクリーニング処理）を行う（Ｓ８ｂ）。これに対し、不良ノズルの検出数が３以上であった場合には（Ｓ６：Ｎｏ）、不良ノズルが多発していると判定して、３番目にインクの吸引量が少ないインク吸引処理（ＣＬ２：３番目に弱いクリーニング処理）を行う（Ｓ８ｃ）。
【００４３】
このように、制御部３０は、１回目のクリーニング処理の実行前にはＳ５〜Ｓ６工程を行うことにより、プリンタ１が不良ノズル多発条件に該当する状態か否かの判定結果、および、不良ノズルの検出数が所定の閾値未満か否かの判定結果に基づいて、１回目のクリーニング処理の内容を決定している。なお、Ｓ６工程における不良ノズル検出数の判定閾値は３以外の数であってもよい。
【００４４】
制御部３０は、Ｓ８ａ〜Ｓ８ｃのいずれかの内容のクリーニング処理（第１クリーニング工程）を実行した後には、積算カウンタＡＣＬに１を加算する（Ｓ９）。そして、再びノズルチェック工程を行い（Ｓ１ｂ：第２ノズルチェック工程）、不良ノズルが検出されれば、さらに処理を継続してＳ３、Ｓ４工程に進む。１回目のクリーニング処理を行った後には、Ｓ４工程において積算カウンタＡＣＬのカウント値が０でないと判定されるので（Ｓ４：Ｎｏ）、Ｓ７工程に進む。Ｓ７工程では、制御部３０は、不良ノズル多発条件やノズルチェック工程における不良ノズルの検出数とは無関係に、積算カウンタＡＣＬのカウント値に基づいてクリーニング処理の内容を決定している（Ｓ７：第２クリーニング処理内容決定工程）。
【００４５】
制御部３０は、Ｓ７工程では、ＡＣＬ＝１の場合、すなわち、これが２回目のクリーニングである場合には、２番目にインクの吸引量が少ないインク吸引処理（ＣＬ１）を選択し、実行する（Ｓ８ｄ）。また、ＡＣＬ＝２の場合、すなわち、今回が３回目のクリーニングである場合には、３番目にインクの吸引量が少ないインク吸引処理（ＣＬ２）を選択し、実行する（Ｓ８ｅ）。そして、ＡＣＬ＝３の場合、すなわち、今回が４回目のクリーニングである場合には、最もインク吸引量が多いインク吸引処理（ＣＬ３：最も強いクリーニング処理）を選択し、実行する（Ｓ８ｆ）。
【００４６】
制御部３０は、Ｓ８ｄ〜Ｓ８ｆのいずれかの内容のクリーニング処理（第２クリーニング工程）を実行した後には、積算カウンタＡＣＬに更に１を加算する（Ｓ９）。そして、再びノズルチェック工程を行い（Ｓ１ｃ：第３ノズルチェック工程）、不良ノズルが検出されれば、さらに処理を継続する。そして、積算カウンタＡＣＬの値に対応するインク吸引処理を選択して実行する工程（Ｓ８ｄ〜Ｓ８ｆ）と、ノズルチェック工程（Ｓ１ｃ）の２つの工程をこの順で繰り返し行い、後述するエラー処理（Ｓ１０）、あるいは、ヘッドクリーニング終了処理（Ｓ１１〜Ｓ１２）に進むまでは、この２工程の繰り返しを継続する。
【００４７】
制御部３０は、Ｓ３工程において積算カウンタＡＣＬの値が４未満でないと判定した場合には（Ｓ３：Ｎｏ）、すでに規定回数以上のクリーニング処理を繰り返したにも拘らず、まだ不良ノズルが検出されているとして、エラー処理に進む（Ｓ１０）。エラー処理では、例えば、ホスト装置にクリーニングエラーの発生を示すエラー信号を送信してホスト装置画面上でエラー表示を行ったり、プリンタ１のエラー表示ランプの点灯やプリンタ１の液晶表示部へのエラー表示を行ったり、あるいは、音声でのエラー報知を行うなどの処理が考えられる。
【００４８】
また、制御部３０は、ノズルチェック工程（Ｓ１ａ〜Ｓｃ）を行っても不良ノズルが１つも検出されなかった場合には、クリーニング要否判定でクリーニングが不要と判定し（Ｓ２：Ｎｏ）、積算カウンタＡＣＬをリセットしてそのカウント値を０にする（Ｓ１１）。そして、ヘッド１１を待機位置に戻してその位置でキャリッジ１２をロックする（Ｓ１２）。これにより、ヘッドクリーニングが終了する。制御部３０は、ヘッドクリーニングが正常に終了した場合には、タイマＡＩＤフラグ、衝撃検出フラグ、起動処理フラグ、ＡＩＤ保留フラグ、カバークローズフラグを全てクリアする。
【００４９】
（本実施形態の効果）
本実施形態では、このように、１回目のクリーニング処理（Ｓ８ａ〜Ｓ８ｃ）の前に、タイマＡＩＤフラグ、衝撃検出フラグ、起動処理フラグ、ＡＩＤ保留フラグ、カバークローズフラグの各フラグがセットされているか否かをチェックする（Ｓ５）ことにより、プリンタ１が不良ノズル多発条件に該当する状態か否かを判定する。そして、上記各フラグが少なくとも１つはセットされていることにより、不良ノズルが発生している可能性が高いと判定した場合には、その可能性がない場合に行うクリーニング処理（ＣＬ０）よりも強いクリーニング処理（ＣＬ１またはＣＬ２）を行うようにしている。また、ＣＬ１とＣＬ２のどちらを行うかは、１回目のノズルチェック工程（Ｓ１ａ）で検出された不良ノズルの検出数に基づいて決めている。このようにすると、１回目のクリーニング処理の内容をノズルの状態に応じた強さにすることができるので、従来のように最も弱いクリーニング処理を１回目に行う場合と比較して、少ないクリーニング処理回数で目詰まり等を回復できる。また、２回目以降のクリーニング処理では、クリーニング処理の実行回数（繰り返し回数）が増えるに従ってインクの吸引量を多くしてクリーニングの強さを順次強くしているので、目詰まり等がひどい状態であるのに弱いクリーニングを繰り返し行ってしまうことがない。よって、少ないクリーニング処理回数で目詰まり等を回復することができる。以上により、短時間で不良ノズルを回復できる。また、無駄に強いクリーニングを行わないようにすることができるので、インクの消費量を削減できる。
【００５０】
本実施形態では、インク吸引処理を行う前には必ずノズルチェック工程（Ｓ１ａ〜Ｓ１ｃ）により不良ノズルの有無を確認するので、実際にノズルが目詰まり等しているかをチェックして、チェック結果に基づいてインク吸引処理を行うことができる。従って、目詰まり等が回復したら速やかにヘッドクリーニングを終了させることができるので、ヘッドクリーニングにかかる時間を短縮でき、インクなどの消耗品の消費量を削減できる。また、一旦ヘッドクリーニングを実行開始すれば、予め設定した上限回数までクリーニング処理を自動的に繰り返し行うことができる。
【００５１】
（改変例）
（１）上記実施形態では、タイマＡＩＤフラグ、衝撃検出フラグ、起動処理フラグ、ＡＩＤ保留フラグ、カバークローズフラグの少なくとも１つがセットされているか否かの判定を行っていたが、セットされているフラグの種類やその組み合わせに応じて、１回目のクリーニング工程で行うクリーニング処理の強さを変えても良い。例えば、セットされているフラグの数が多いほど強いクリーニング処理を行っても良い。また、タイマＡＩＤフラグ、衝撃検出フラグ、起動処理フラグ、ＡＩＤ保留フラグ、カバークローズフラグ以外のフラグ、例えば、プリンタ１が傾いていることを検出した場合にセットされるフラグ、ヘッド１１などの部品が交換された場合にセットされるフラグ、などを不良ノズル多発条件に加えてもよい。
【００５２】
（２）上記実施形態では、クリーニング処理としてインクの吸引量が異なる４種類のインク吸引処理を行っていたが、フラッシング処理あるいはワイピング処理を行ってもよく、これらの処理を適宜組み合わせて行っても良い。また、インク吸引処理におけるインク吸引量、フラッシング処理におけるインク吐出量、などは適宜変更可能である。また、直前のノズルチェック工程における不良ノズルの検出数に応じてインクの吸引量や吐出量を変えてもよい。
【００５３】
（３）上記実施形態では、不良ノズル多発条件に該当するか否かをカバークローズフラグなどのフラグセットおよびフラグチェックにより判定していたが、他の方法でもよい。例えば、ノズルチェックを実施する際には、その実施要求元、すなわち、何に起因してノズルチェックを行うかを記憶させておき、この記憶内容に基づいて１回目のクリーニング処理の内容を決めるようにしてもよい。実施要求元としては、上述したカバークローズ、衝撃検出、タイマＡＩＤ、電源オンなどの起動処理のほか、印刷終了やマニュアルクリーニング実行指令、工場コマンド入力などが想定できるので、これらを区別できるように実施要求元を記憶させる。なお、ノズルチェック実施中には他のノズルチェック要求を受け付けられないものとし、他の実施要求元をセットできないものとする。また、ＡＩＤ保留フラグについては、上記実施形態と同様にセットするものとする。
【００５４】
この場合、上記実施形態のＳ５工程において、実施要求元の記憶内容と、ＡＩＤ保留フラグをチェックし、実施要求元が予め設定したものであった場合、あるいは、ＡＩＤ保留フラグがセットされていた場合に、プリンタ１が不良ノズル多発条件に該当すると判定すればよい。また、実施要求元が予め設定したものでなく、且つ、ＡＩＤ保留フラグがセットされていない場合には、プリンタ１が不良ノズル多発条件に該当しないと判定すればよい。そして、ヘッドクリーニングが正常に終了した場合には、ＡＩＤ保留フラグがセットされていた場合にのみ、ＡＩＤ保留フラグをクリアすればよい。
【図面の簡単な説明】
【００５５】
【図１】本発明を適用したインクジェットプリンタの斜視図である。
【図２】インクジェットプリンタ内部の機構を示す斜視図である。
【図３】ヘッドクリーニング機構の斜視図である。
【図４】ヘッドおよびヘッドキャップが正対している状態を示す部分断面図である。
【図５】ヘッドクリーニング時の制御を示すフローチャートである。
【符号の説明】
【００５６】
１…インクジェットプリンタ（プリンタ）、２…外装ケース、２ａ…ロール紙カバー、２ｂ…インクカートリッジカバー、２ｃ，２ｄ…開閉センサ、２ｅ…衝撃センサ、３…ロール紙、４…ロール紙収容部、５…インクカートリッジ、６…カートリッジ装着部、７…インク流路、８…インク供給チューブ、１０…印刷機構、１１…インクジェットヘッド（ヘッド）、１１ａ…ノズル面、１２…キャリッジ、１３…キャリッジ軸、１４…無端ベルト、１５…キャリッジモータ、１６…背圧調整ユニット、１７…ダンパユニット、１８…プラテン、２０…ヘッドクリーニング機構、２１…ヘッドキャップ、２１ａ…封止面、２１ｂ…縁部、２１ｃ…凹部、２１ｄ…吸収材、２１ｅ…導電材、２２…ワイパ、２３…インク吸引部、２４…フレーム、３０…制御部
【図１】
0005130961.tif 000002
【図２】
0005130961.tif 000003
【図３】
0005130961.tif 000004
【図４】
0005130961.tif 000005
【図５】
0005130961.tif 000006